(57)【要約】  【課題】車両などでの移動中に受信状態が変化した場合であっても、放送の続きを視聴できるようにする情報処理システムを提供すること。  【解決手段】車両１に搭載される、放送により提供される放送情報を受信する放送情報受信機能を有した情報端末装置２と、静止状態で使用される、放送情報受信機能を有したサーバー５とを含んで構成されると共に、放送波受信機９で受信された放送情報が記憶手段８で記憶されるように構成された情報処理システムであって、情報端末装置２に、車両１の先の進路の電波状態が低下する場合、ネットワーク４を介して、サーバー５へ放送情報の受信を指示する手段を装備する。  【選択図】  図１
2006186473.tif 000002
【特許請求の範囲】
【請求項１】
移動体に搭載される、放送により提供される放送情報を受信する放送情報受信機能を有
した情報端末装置と、
静止状態で使用される、前記放送情報受信機能を有した放送情報受信装置と、
前記放送情報を記憶する放送情報記憶装置とを含んで構成されると共に、
前記放送情報受信装置で受信された前記放送情報が、前記放送情報記憶装置で記憶され
るように構成された情報処理システムであって、
前記情報端末装置が、
前記移動体の先の進路の電波状態に基づいて、前記放送情報を前記放送情報記憶装置で
記憶させる必要があるか否かを判断する記憶要否判断手段と、
該記憶要否判断手段により、前記放送情報を前記放送情報記憶装置で記憶させる必要が
あると判断された場合、前記放送情報受信装置に対して前記放送情報の受信を指示する受
信指示手段とを備えていることを特徴とする情報処理システム。
【請求項２】
前記先の進路は、目的地へ到達するまでの前記移動体の走行ルートに基づいて決定され
るように構成されていることを特徴とする請求項１記載の情報処理システム。
【請求項３】
前記先の進路の電波状態は、マップ情報記憶手段に記憶されている放送サービスエリア
を示したマップ情報に基づいて決定されるように構成されていることを特徴とする請求項
１又は請求項２記載の情報処理システム。
【請求項４】
前記情報端末装置が、
放送電波の状態を監視する電波状態監視手段と、
該電波状態監視手段により得られる情報と、現在位置検出手段から得られる前記移動体
の現在位置情報と、前記放送サービスエリアを示したマップ情報とに基づいて、前記マッ
プ情報記憶手段に記憶されているマップ情報を更新する更新手段とを備えていることを特
徴とする請求項３記載の情報処理システム。
【請求項５】
前記放送情報記憶装置を管理する放送情報管理装置が、
前記放送情報の転送要求を受けると、前記放送情報記憶装置に記憶されている前記放送
情報を転送要求元へ転送する放送情報転送手段を備えていることを特徴とする請求項１〜
４のいずれかの項に記載の情報処理システム。
【請求項６】
前記情報端末装置が、
移動体通信手段を用いて、前記放送情報記憶装置からの前記放送情報の転送を要求する
転送要求手段と、
該転送要求手段による転送要求に応じて転送されてきた前記放送情報を再生する放送情
報再生手段とを備えていることを特徴とする請求項５記載の情報処理システム。
【請求項７】
前記移動体通信手段の通信不良で、前記放送情報の転送が完了していない場合、
前記転送要求手段が、前記移動体通信手段の通信状態が回復すると、前記放送情報の転
送要求を再開するものであることを特徴とする請求項６記載の情報処理システム。
【請求項８】
前記放送情報転送手段が、
前記放送情報の転送要求元が、前記情報端末装置以外の端末装置である場合、所定の条
件が満たされているとき、前記放送情報を転送するものであることを特徴とする請求項５
〜７のいずれかの項に記載の情報処理システム。
【請求項９】
前記所定の条件が、前記情報端末装置への前記放送情報の転送が完了していないこと、
又は前記情報端末装置で前記放送情報の再生が完了していないことであることを特徴とす
る請求項８記載の情報処理システム。
【請求項１０】
前記放送情報転送手段が、
前記放送情報の転送要求元である装置で再生可能なデータ形式に変換して、前記放送情
報を転送するものであることを特徴とする請求項５〜９のいずれかの項に記載の情報処理
システム。
【請求項１１】
再生リストに従って、楽曲データを再生する機能を有した情報端末装置を含んで構成さ
れる情報処理システムであって、
前記情報端末装置が、
選択対象となっている楽曲の中から楽曲を選択し、楽曲の再生リストを作成する再生リ
スト作成手段と、
該再生リスト作成手段により作成された再生リストに従って、楽曲データ記憶手段に記
憶されている楽曲データを再生する第１の楽曲データ再生手段と、
前記再生リスト作成手段により作成された再生リストを示した再生リスト情報を、再生
リスト情報を管理する再生リスト情報管理装置へ送信する再生リスト情報送信手段を備え
、
前記再生リスト情報管理装置が、
所定の転送先へ、前記再生リスト情報を転送する再生リスト情報転送手段を備えている
ことを特徴とする情報処理システム。
【請求項１２】
前記情報端末装置が、
前記再生リスト情報管理装置からの前記再生リスト情報の転送を要求する再生リスト情
報転送要求手段と、
該再生リスト情報転送要求手段による転送要求に応じて転送されてきた前記再生リスト
情報が示す再生リストに従って、前記楽曲データ記憶手段に記憶されている楽曲データを
再生する第２の楽曲データ再生手段とを備えていることを特徴とする請求項１１記載の情
報処理システム。
【請求項１３】
前記楽曲データ記憶手段に、前記再生リストに含まれている楽曲に対応する楽曲データ
が存在しない場合、
前記第２の楽曲データ再生手段が、当該楽曲を飛ばして、前記楽曲データ記憶手段に記
憶されている楽曲データを再生するものであることを特徴とする請求項１２記載の情報処
理システム。
【請求項１４】
前記情報端末装置が、
楽曲再生状況に関する再生状況情報を、前記再生リスト情報管理装置へ送信する再生状
況情報送信手段を備えていることを特徴とする請求項１１〜１３のいずれかの項に記載の
情報処理システム。
【請求項１５】
前記再生リスト情報転送手段が、
前記所定の転送先へ、前記再生リスト情報と合わせて、前記再生状況情報を転送するも
のであり、
前記第２の楽曲データ再生手段が、
前記再生状況情報に基づいて、未再生、又は再生途中であった楽曲の先頭から演奏され
るように、楽曲データを再生するものであることを特徴とする請求項１４記載の情報処理
システム。
【請求項１６】
前記再生リスト情報転送手段が、
前記所定の転送先へ、前記再生状況情報に基づいて、再生が完了したものが削除された
再生リストに関する再生リスト情報を転送するものであることを特徴とする請求項１４記
載の情報処理システム。
【請求項１７】
再生リストに従って、楽曲データを再生する機能を有した情報端末装置を含んで構成さ
れる情報処理システムであって、
前記情報端末装置が、
選択対象となっている楽曲の中から楽曲を選択し、楽曲の再生リストを作成する再生リ
スト作成手段と、
該再生リスト作成手段により作成された再生リストに従って、楽曲データ記憶手段に記
憶されている楽曲データを再生する第１の楽曲データ再生手段と、
前記再生リスト作成手段により作成された再生リストを示した再生リスト情報、及び前
記再生リストに含まれている楽曲の楽曲データを、再生リスト及び楽曲データを管理する
再生リスト情報管理装置へ送信する再生リスト情報送信手段を備え、
前記再生リスト情報管理装置が、
所定の転送先へ、前記再生リスト情報、及び該再生リスト情報が示す再生リストに含ま
れている楽曲の楽曲データを転送する再生リスト情報転送手段を備えていることを特徴と
する情報処理システム。
【請求項１８】
請求項１〜１０のいずれかの項に記載の情報処理システムを構成する、前記移動体に搭
載される情報端末装置であり、
前記移動体の先の進路の電波状態に基づいて、前記放送情報受信装置に対して前記放送
情報の受信を指示するものであることを特徴とする情報端末装置。
【請求項１９】
請求項１１〜１７のいずれかの項に記載の情報処理システムを構成する情報端末装置で
あり、
選択対象となっている楽曲の中から楽曲を選択し、楽曲の再生リストを作成し、作成し
た再生リストに関する情報を前記再生リスト情報管理装置へ転送し得るものであることを
特徴とする情報端末装置。
【発明の詳細な説明】
【技術分野】
【０００１】
本発明は情報処理システム、及び情報端末装置に関し、より詳細には、放送により提供
される放送情報を受信する放送情報受信機能や、再生リストに従って、楽曲データを再生
する機能を有した情報端末装置を含んで構成される情報処理システム、及びそれを構成す
る情報端末装置に関する。
【背景技術】
【０００２】
自宅でラジオ放送やテレビ放送を視聴中に外出しなければならなくなった場合、車両に
搭載されたオーディオ装置で放送の続きを視聴することはできるが、自宅から車両へ移動
する間の放送分を視聴することができない。これと同様に、車両でラジオ放送やテレビ放
送を視聴中に自宅へ戻らなければならなくなった場合、自宅のオーディオ装置で放送の続
きを視聴することはできるが、車両から自宅へ移動する間の放送分を視聴することができ
ない。
【０００３】
このような問題を解決するものとして、例えば、下記の特許文献１には、自宅のオーデ
ィオ装置で、放送の続き部分を録音又は録画させ、録音情報又は録画情報を車両のオーデ
ィオ装置へ転送させて、移動期間中の放送内容を車両到着後に漏れなく視聴できるように
した技術について開示されている。また、下記の特許文献２には、車両が自宅のガレージ
に着いたときに、自宅のオーディオ装置で放送の続きを録音又は録画させ、移動期間中の
放送内容を帰宅後に漏れなく視聴できるようにした技術について開示されている。
【０００４】
ところで、車両などでの移動中は、電波の受信状況が変化するため、ラジオ放送やテレ
ビ放送を間断なく視聴することができなくなる場合がある。特に、長距離移動の場合、放
送受信エリアから外れてしまうことがある。放送受信エリアから外れてしまうと、ラジオ
放送やテレビ放送をそのまま視聴し続けることはできない。
【０００５】
上記したように、自宅から車両への移動期間中や、車両から自宅への移動期間中の放送
内容を漏れなく視聴できるようにした技術については、各種提案がなされているが、車両
などでの移動中に受信状態が変化した場合にも、放送の続きを視聴できるようにしたもの
はこれまでになかった。
【０００６】
また、最近ではＨＤＤなどの大容量記憶装置が普及し、一つの記憶装置に数多くの楽曲
（例えば、数千から１万曲）に関するデータを記憶させておくことができるようになって
いる。例えば、図１３に示したように、ＨＤＤ１０１に、ＣＤ１０２−１〜ＣＤ１０２−
ｎに収録されている楽曲そのもののデータ（以降、楽曲データとも記す）及びＴＯＣ（Ta
ble Of Contents ）情報（例えば、楽曲数や総演奏時間）が記憶され、さらにはＣＤに関
する情報（例えば、タイトル名や収録されている楽曲数、収録されている楽曲の総演奏時
間、歌手名、各楽曲の曲名・演奏時間・ジャンル）が記憶されている。
【０００７】
楽曲データやＴＯＣ情報については、ＣＤ１０２−１〜ＣＤ１０２−ｎからデータを読
み出してＨＤＤ１０１に記憶させれば良く、ＣＤに関する情報については、これら情報を
提供するサービス機関１０３があるため、サービス機関１０３から提供される情報を取得
してＨＤＤ１０１に記憶させれば良い。なお、サービス機関１０３から提供されたＣＤに
関する情報が、ＨＤＤ１０１に記憶されているどの楽曲データに対応したものであるのか
は、収録されている楽曲数と総演奏時間から判断することができ、例えば、第１番目に記
憶されている、タイトル名が「大発明」であるＣＤ（楽曲数１６曲、総演奏時間５１分１
２秒）に関する情報は、第２番目に記憶されている楽曲データ（ＣＤ１０２−２に収録さ
れていた楽曲データ）に対応したものであると判断することができるようになっている。
【０００８】
また、ＨＤＤ１０１に記憶されている楽曲データの中から、使用者により聴きたい楽曲
が幾つか選択されると、その選択に基づいて楽曲再生リストを作成し、作成した楽曲再生
リストに従って、順番に楽曲を再生していくといった機能がある。
【０００９】
しかしながら、このような楽曲再生リストに従って楽曲を再生していく場合にも、ラジ
オ放送やテレビ放送を視聴している場合と同様の問題がある。例えば、車両などでの移動
中に、楽曲再生リストに従って再生される楽曲を聴いている場合、楽曲再生リストに入っ
ている全ての楽曲の再生が終了していないときに、目的地へ到着するなどして車両から降
りることになると、残りの楽曲をそのまま続けて聴くことはできない。また、自宅などで
楽曲再生リストに従って再生される楽曲を聴いている場合に、外出しなければならなくな
ると、やはり残りの楽曲をそのまま続けて聴くことはできない。
【特許文献１】特開２００２−１５７８６６号公報
【特許文献２】特開２００２−２９０３５０号公報
【発明の開示】
【課題を解決するための手段及びその効果】
【００１０】
本発明は上記課題に鑑みなされたものであって、車両などでの移動中に受信状態が変化
した場合であっても、放送の続きを視聴できるようにしたり、また、車両内で聴取してい
た楽曲を、車両から降りた後でも、引き続き聴取できるようにする情報処理システム、及
び情報端末装置を提供することを目的としている。
【００１１】
上記目的を達成するために本発明に係る情報処理システム（１）は、移動体に搭載され
る、放送により提供される放送情報を受信する放送情報受信機能を有した情報端末装置と
、静止状態で使用される、前記放送情報受信機能を有した放送情報受信装置と、前記放送
情報を記憶する放送情報記憶装置とを含んで構成されると共に、前記放送情報受信装置で
受信された前記放送情報が、前記放送情報記憶装置で記憶されるように構成された情報処
理システムであって、前記情報端末装置が、前記移動体の先の進路の電波状態に基づいて
、前記放送情報を前記放送情報記憶装置で記憶させる必要があるか否かを判断する記憶要
否判断手段と、該記憶要否判断手段により、前記放送情報を前記放送情報記憶装置で記憶
させる必要があると判断された場合、前記放送情報受信装置に対して前記放送情報の受信
を指示する受信指示手段とを備えていることを特徴としている。
【００１２】
上記情報処理システム（１）によれば、前記移動体の先の進路（走行することが予想さ
れる場所）の電波状態に基づいて、前記放送情報を前記放送情報記憶装置で記憶させる必
要があるか否かが判断され、前記放送情報を前記放送情報記憶装置で記憶させる必要があ
ると判断された場合、静止状態で使用される前記放送情報受信装置（例えば、自宅に設置
されている録画装置）に対して前記放送情報の受信が指示される。また、前記放送情報受
信装置で受信された前記放送情報は、前記放送情報記憶装置で記憶される。
【００１３】
すなわち、使用者が視聴中のテレビ放送（又は聴取中のラジオ放送）を受信できない領
域に前記移動体が進入することが予想される場合、そのテレビ放送情報をＨＤＤ（Hard D
isk Drive ）などの記憶装置に記憶させておくことができる。従って、ＨＤＤに記憶され
ているテレビ放送情報を利用することによって、テレビ放送の続きを視聴することができ
る。
【００１４】
また、携帯電話などの移動体通信手段を用いて、ＨＤＤに記憶されているテレビ放送情
報の読み出しが可能であり、かつ前記移動体が前記移動体通信手段の通信サービスエリア
内を走行中であれば、テレビ放送を受信できない領域を走行中であったとしても、テレビ
放送の続きを視聴することができる。
【００１５】
また、本発明に係る情報処理システム（２）は、上記情報処理システム（１）において
、前記先の進路は、目的地へ到達するまでの前記移動体の走行ルートに基づいて決定され
るように構成されていることを特徴としている。
【００１６】
上記情報処理システム（２）によれば、前記先の進路（走行することが予想される場所
）が、目的地へ到達するまでの前記移動体の走行ルートに基づいて決定されるので、前記
先の進路の予想精度を高めることができる。従って、より適切なタイミングで、必要な放
送情報を前記放送情報記憶装置へ記憶させることができる。
【００１７】
また、本発明に係る情報処理システム（３）は、上記情報処理システム（１）又は（２
）において、前記先の進路の電波状態は、マップ情報記憶手段に記憶されている放送サー
ビスエリアを示したマップ情報に基づいて決定されるように構成されていることを特徴と
している。
【００１８】
上記情報処理システム（３）によれば、前記先の進路の電波状態が、前記放送サービス
エリアを示したマップ情報（放送電波の受信良好なエリアや、受信可能なエリア、受信不
可能なエリアを示した情報）に基づいて決定されるので、視聴中のテレビ放送（又は聴取
中のラジオ放送）が受信できなくなるか否かといった判断などを精度良く行うことができ
る。
【００１９】
また、本発明に係る情報処理システム（４）は、上記情報処理システム（３）において
、前記情報端末装置が、放送電波の状態を監視する電波状態監視手段と、該電波状態監視
手段により得られる情報と、現在位置検出手段から得られる前記移動体の現在位置情報と
、前記放送サービスエリアを示したマップ情報とに基づいて、前記マップ情報記憶手段に
記憶されているマップ情報を更新する更新手段とを備えていることを特徴としている。
【００２０】
上記情報処理システム（４）によれば、前記電波状態監視手段により得られる情報と、
前記移動体の現在位置情報と、前記マップ情報とに基づいて、前記マップ情報記憶手段に
記憶されているマップ情報が更新される。前記電波状態監視手段により得られる情報と、
前記移動体の現在位置情報とに基づいて、場所毎の実際の放送電波の受信状態を知ること
ができる。従って、前記放送サービスエリアを示したマップ情報の精度を高めることがで
きる。
【００２１】
また、本発明に係る情報処理システム（５）は、上記情報処理システム（１）〜（４）
のいずれかにおいて、前記放送情報記憶装置を管理する放送情報管理装置が、前記放送情
報の転送要求を受けると、前記放送情報記憶装置に記憶されている前記放送情報を転送要
求元へ転送する放送情報転送手段を備えていることを特徴としている。
【００２２】
上記情報処理システム（５）によれば、前記放送情報管理装置が、前記放送情報の転送
要求を受けると、前記放送情報記憶装置に記憶されている前記放送情報が転送要求元へ転
送される。換言すれば、前記放送情報の転送を要求すれば、前記放送情報を取得すること
ができる。従って、テレビ放送の続きを視聴することができる。
【００２３】
また、本発明に係る情報処理システム（６）は、上記情報処理システム（５）において
、前記情報端末装置が、移動体通信手段を用いて、前記放送情報記憶装置からの前記放送
情報の転送を要求する転送要求手段と、該転送要求手段による転送要求に応じて転送され
てきた前記放送情報を再生する放送情報再生手段とを備えていることを特徴としている。
【００２４】
上記情報処理システム（６）によれば、前記情報端末装置が、前記移動体通信手段を用
いて、前記放送情報記憶装置からの前記放送情報の転送を要求する転送要求手段と、該転
送要求手段による転送要求に応じて転送されてきた前記放送情報を再生する放送情報再生
手段とを備えているので、前記移動体が前記移動体通信手段の通信サービスエリア内を走
行中であれば（又は通信サービスエリアから外れていたとしても、エリアから外れる前に
前記放送情報を取得していれば）、移動中であってもテレビ放送の続きを視聴することが
できる。
【００２５】
また、本発明に係る情報処理システム（７）は、上記情報処理システム（６）において
、前記移動体通信手段の通信不良で、前記放送情報の転送が完了していない場合、前記転
送要求手段が、前記移動体通信手段の通信状態が回復すると、前記放送情報の転送要求を
再開するものであることを特徴としている。
【００２６】
上記情報処理システム（７）によれば、前記移動体通信手段の通信状態が回復すると、
前記放送情報の転送要求が再開されるので、視聴できなくなったテレビ放送（又は聴取で
きなくなったラジオ放送）をできるだけ早く使用者へ提供することができる。
【００２７】
また、本発明に係る情報処理システム（８）は、上記情報処理システム（５）〜（７）
のいずれかにおいて、前記放送情報転送手段が、前記放送情報の転送要求元が、前記情報
端末装置以外の端末装置である場合、所定の条件が満たされているとき、前記放送情報を
転送するものであることを特徴としている。
【００２８】
上記情報処理システム（８）によれば、前記放送情報の転送要求元が、前記情報端末装
置以外の端末装置である場合、前記所定の条件が満たされているとき、前記放送情報が転
送される。換言すれば、前記所定の条件が満たされていないと、前記放送情報は転送され
ない。従って、必要が無いに（又は必要性が低いに）も拘らず、前記放送情報が自宅の端
末装置などへ転送されるのを防ぐことができる。
【００２９】
また、本発明に係る情報処理システム（９）は、上記情報処理システム（８）において
、前記所定の条件が、前記情報端末装置への前記放送情報の転送が完了していないこと、
又は前記情報端末装置で前記放送情報の再生が完了していないことであることを特徴とし
ている。
【００３０】
上記情報処理システム（９）によれば、前記所定の条件が、前記情報端末装置への前記
放送情報の転送が完了していないこと、又は前記情報端末装置で前記放送情報の再生が完
了していないことである。前記移動体に搭載される前記情報端末装置への前記放送情報の
転送が完了している場合には、車両内などで既にテレビ放送の続きなどを視聴している可
能性が高い。また、前記情報端末装置で前記放送情報の再生が完了している場合にも、テ
レビ放送の続きなどを視聴している可能性が高い。従って、使用者が既にテレビ放送の続
きなどを視聴している場合には、自宅の端末装置などへ前記放送情報が転送されないよう
にすることができる。
【００３１】
また、本発明に係る情報処理システム（１０）は、上記情報処理システム（５）〜（９
）のいずれかにおいて、前記放送情報転送手段が、前記放送情報の転送要求元である装置
で再生可能なデータ形式に変換して、前記放送情報を転送するものであることを特徴とし
ている。
【００３２】
上記情報処理システム（１０）によれば、前記放送情報の転送要求元である装置で再生
可能なデータ形式に変換して、前記放送情報が転送される。従って、視聴中のテレビ放送
（又は聴取中のラジオ放送）を受信できない領域に前記移動体が進入したとしても、その
テレビ放送を確実に視聴することができる。
【００３３】
また、本発明に係る情報処理システム（１１）は、再生リストに従って、楽曲データを
再生する機能を有した情報端末装置を含んで構成される情報処理システムであって、前記
情報端末装置が、選択対象となっている楽曲の中から楽曲を選択し、楽曲の再生リストを
作成する再生リスト作成手段と、該再生リスト作成手段により作成された再生リストに従
って、楽曲データ記憶手段に記憶されている楽曲データを再生する第１の楽曲データ再生
手段と、前記再生リスト作成手段により作成された再生リストを示した再生リスト情報を
、再生リスト情報を管理する再生リスト情報管理装置へ送信する再生リスト情報送信手段
を備え、前記再生リスト情報管理装置が、所定の転送先へ、前記再生リスト情報を転送す
る再生リスト情報転送手段を備えていることを特徴としている。
【００３４】
上記情報処理システム（１１）によれば、前記情報端末装置で作成された再生リストを
示した前記再生リスト情報が、前記所定の転送先へ転送される。例えば、車両に搭載され
たオーディオ装置で作成された再生リストを示した再生リスト情報を、自宅のオーディオ
装置へ転送したり、その逆に、自宅のオーディオ装置で作成された再生リストを示した再
生リスト情報を、車両に搭載されたオーディオ装置へ転送することができる。これにより
、例えば、車両から降りた後にも、車両で利用していた再生リストを利用することができ
たり、自宅で利用していた再生リストを、車両でも利用することができる。
【００３５】
また、本発明に係る情報処理システム（１２）は、上記情報処理システム（１１）にお
いて、前記情報端末装置が、前記再生リスト情報管理装置からの前記再生リスト情報の転
送を要求する再生リスト情報転送要求手段と、該再生リスト情報転送要求手段による転送
要求に応じて転送されてきた前記再生リスト情報が示す再生リストに従って、前記楽曲デ
ータ記憶手段に記憶されている楽曲データを再生する第２の楽曲データ再生手段とを備え
ていることを特徴としている。
【００３６】
上記情報処理システム（１２）によれば、他の装置で作成された再生リストに従って、
楽曲データを再生することができる。これにより、例えば、車両から降りた後にも、車両
で利用していた再生リストに含まれている楽曲を聴くことができたり、自宅で利用してい
た再生リストに含まれている楽曲を、車両内でも聴くことができる。
【００３７】
また、本発明に係る情報処理システム（１３）は、上記情報処理システム（１２）にお
いて、前記楽曲データ記憶手段に、前記再生リストに含まれている楽曲に対応する楽曲デ
ータが存在しない場合、前記第２の楽曲データ再生手段が、当該楽曲を飛ばして、前記楽
曲データ記憶手段に記憶されている楽曲データを再生するものであることを特徴としてい
る。
【００３８】
上記情報処理システム（１３）によれば、前記楽曲データ記憶手段に、他の装置で作成
された再生リストに含まれている楽曲に対応する楽曲データが存在しない場合にも、対応
可能であり、不具合が生じるのを防止することができる。
【００３９】
また、本発明に係る情報処理システム（１４）は、上記情報処理システム（１１）〜（
１３）のいずれかにおいて、前記情報端末装置が、楽曲再生状況に関する再生状況情報を
、前記再生リスト情報管理装置へ送信する再生状況情報送信手段を備えていることを特徴
としている。
【００４０】
上記情報処理システム（１４）によれば、前記情報端末装置での楽曲再生状況に関する
再生状況情報（例えば、再生リストに含まれる楽曲のうち、何番目の楽曲まで再生が終了
したのかを示した情報）が、前記再生リスト情報管理装置へ送信される。従って、該再生
リスト情報管理装置では、前記情報端末装置での楽曲再生状況を把握することができるの
で、それに応じた適切な処理をすることが可能となる。
【００４１】
また、本発明に係る情報処理システム（１５）は、上記情報処理システム（１４）にお
いて、前記再生リスト情報転送手段が、前記所定の転送先へ、前記再生リスト情報と合わ
せて、前記再生状況情報を転送するものであり、前記第２の楽曲データ再生手段が、前記
再生状況情報に基づいて、未再生、又は再生途中であった楽曲の先頭から演奏されるよう
に、楽曲データを再生するものであることを特徴としている。
【００４２】
上記情報処理システム（１５）によれば、前記再生状況情報に基づいて、未再生、又は
再生途中であった楽曲の先頭から演奏されるように、楽曲データが再生される。これによ
り、例えば、車両内で演奏途中であった楽曲を、自宅のオーディオ装置で先頭から聴くこ
とができる。
【００４３】
また、本発明に係る情報処理システム（１６）は、上記情報処理システム（１４）にお
いて、前記再生リスト情報転送手段が、前記所定の転送先へ、前記再生状況情報に基づい
て、再生が完了したものが削除された再生リストに関する再生リスト情報を転送するもの
であることを特徴としている。
【００４４】
上記情報処理システム（１６）によれば、転送される再生リスト情報が、再生が完了し
たものが削除された再生リストを示しているので、未再生、又は再生途中であった楽曲か
ら演奏されるように、楽曲データが再生されることとなる。これにより、例えば、車両内
で演奏途中であった楽曲を、自宅のオーディオ装置で先頭から聴くことができる。
【００４５】
また、本発明に係る情報処理システム（１７）は、再生リストに従って、楽曲データを
再生する機能を有した情報端末装置を含んで構成される情報処理システムであって、前記
情報端末装置が、選択対象となっている楽曲の中から楽曲を選択し、楽曲の再生リストを
作成する再生リスト作成手段と、該再生リスト作成手段により作成された再生リストに従
って、楽曲データ記憶手段に記憶されている楽曲データを再生する第１の楽曲データ再生
手段と、前記再生リスト作成手段により作成された再生リストを示した再生リスト情報、
及び前記再生リストに含まれている楽曲の楽曲データを、再生リスト及び楽曲データを管
理する再生リスト情報管理装置へ送信する再生リスト情報送信手段を備え、前記再生リス
ト情報管理装置が、所定の転送先へ、前記再生リスト情報、及び該再生リスト情報が示す
再生リストに含まれている楽曲の楽曲データを転送する再生リスト情報転送手段を備えて
いることを特徴としている。
【００４６】
上記情報処理システム（１７）によれば、前記情報端末装置で作成された再生リストを
示した前記再生リスト情報が、前記所定の転送先へ転送される。例えば、車両に搭載され
たオーディオ装置で作成された再生リストを示した再生リスト情報を、自宅のオーディオ
装置へ転送したり、その逆に、自宅のオーディオ装置で作成された再生リストを示した再
生リスト情報を、車両に搭載されたオーディオ装置へ転送することができる。これにより
、例えば、車両から降りた後にも、車両で利用していた再生リストを利用することができ
たり、自宅で利用していた再生リストを、車両でも利用することができる。また、前記再
生リスト情報だけでなく、楽曲データについても転送されるので、どの環境においても、
同様の楽曲再生を実現することができる。
【００４７】
また、本発明に係る情報端末装置（１）は、上記情報処理システム（１）〜（１０）の
いずれかを構成する、前記移動体に搭載される情報端末装置であり、前記移動体の先の進
路の電波状態に基づいて、前記放送情報受信装置に対して前記放送情報の受信を指示する
ものであることを特徴としている。
【００４８】
上記情報端末装置（１）によれば、視聴中のテレビ放送（又は聴取中のラジオ放送）を
受信できない領域に前記移動体が進入することが予想される場合、そのテレビ放送情報を
ＨＤＤなどの記憶装置に記憶させておくことができる。従って、ＨＤＤに記憶されている
テレビ放送情報を利用することによって、テレビ放送の続きを視聴することができる。
【００４９】
また、携帯電話などの移動体通信手段を用いて、ＨＤＤに記憶されているテレビ放送情
報の読み出しが可能であり、かつ前記移動体が前記移動体通信手段の通信サービスエリア
内を走行中であれば、テレビ放送を受信できない領域を走行中であったとしても、テレビ
放送の続きを視聴することができる。
【００５０】
また、本発明に係る情報端末装置（２）は、上記情報処理システム（１１）〜（１７）
のいずれかを構成する情報端末装置であり、選択対象となっている楽曲の中から楽曲を選
択し、楽曲の再生リストを作成し、作成した再生リストに関する情報を前記再生リスト情
報管理装置へ転送し得るものであることを特徴としている。
【００５１】
上記情報端末装置（２）によれば、作成した再生リストを示した前記再生リスト情報を
、前記所定の転送先へ転送させることができる。例えば、車両に搭載されたオーディオ装
置で作成した再生リストを示した再生リスト情報を、自宅のオーディオ装置へ転送させた
り、その逆に、自宅のオーディオ装置で作成した再生リストを示した再生リスト情報を、
車両に搭載されたオーディオ装置へ転送させることができる。これにより、例えば、車両
から降りた後にも、車両で利用していた再生リストを利用することができたり、自宅で利
用していた再生リストを、車両でも利用することができる。
【発明を実施するための最良の形態】
【００５２】
以下、本発明に係る情報処理システム、及び情報端末装置の実施の形態を図面に基づい
て説明する。図１は、実施の形態（１）に係る情報処理システムの要部を概略的に示した
ブロック図である。図中１は車両を示しており、車両１にはナビゲーション機能と放送に
より提供される放送情報を受信する放送情報受信機能とを有した情報端末装置２が装備さ
れている。情報端末装置２には、携帯電話などの移動体通信手段（図示せず）が接続され
ており、この移動体通信手段を用いて、基地局３を介して、インターネットなどのネット
ワーク４と繋がることができ、ネットワーク４に接続されているサーバー５などとの間で
データのやり取りを行うことができるようになっている。
【００５３】
サーバー５（本発明の放送情報管理装置に相当）は、ＣＰＵ（図示せず）などを有した
マイコン６と、ネットワーク４と接続するための通信手段７と、記憶手段８（本発明の放
送情報記憶装置に相当）と、テレビ放送波を受信するための放送波受信機９とを含んで構
成されている。放送波受信機９にはアンテナ１０が接続されている。
【００５４】
図２は、実施の形態（１）に係る情報端末装置２の要部を概略的に示したブロック図で
ある。情報端末装置２は、ＣＰＵ（図示せず）などを有したマイコン１１と、地図データ
や施設データなどが記憶されたＤＶＤ−ＲＯＭ１２から地図データなどを読み出すための
ＤＶＤドライブ１３と、ボタンスイッチ１４ａを有したリモコン１４と、ディスプレイ１
５とを含んで構成されている。
【００５５】
マイコン１１に接続されているＧＰＳ受信機１６は、アンテナ１７を介して衛星からの
ＧＰＳ信号を受信するものであり、マイコン１１はＧＰＳ信号に基づいて自車位置を割り
出すことができるようになっている。また、マイコン１１には移動体通信手段１８が接続
されており、この移動体通信手段１８を使って、サーバー５（図１参照）などとの間でデ
ータのやり取りを行うことができるようになっている。
【００５６】
また、マイコン１１には自車の速度に関するデータを検出するための車速センサ１９と
、自車の水平面内における方位に関するデータを検出するためのジャイロセンサ２０とが
接続されている。また、マイコン１１には各種データを記憶しておくための記憶手段２１
が接続され、サーバー５などから送信されてきたデータや、リモコン１４などを使って入
力された情報などが記憶されるようになっており、例えば、記憶手段２１には、放送局毎
の放送サービスエリアを示したマップ情報や、移動体通信手段の種類毎の通信サービスエ
リアを示したマップ情報、テレビの番組情報（番組の開始時間や終了時間など）が記憶さ
れるようになっている。
【００５７】
また、情報端末装置２は、アンテナ２２に接続された、テレビ放送波を受信するための
放送波受信機２３を含んでおり、放送波受信機２３で受信された映像信号はディスプレイ
１５へ出力され、音声信号は音声出力手段２４を介してスピーカ２５から出力されるよう
になっている。放送波受信機２３はマイコン１１に接続されており、リモコン１４などを
使って放送局を選局することができ、また、マイコン１１では受信中の放送局を認識する
ことができるようになっている。
【００５８】
次に、実施の形態（１）に係る情報端末装置２におけるマイコン１１の行う処理動作［
１−１］を図３−１〜図３−３に示したフローチャートに基づいて説明する。なお、この
処理動作［１−１］は放送波受信機２３を使って、テレビ放送波を受信し、使用者がテレ
ビ放送を視聴している場合に、所定の期間毎に行われる動作である。
【００５９】
まず、放送波受信機２３から得られる情報に基づいて、選局中のテレビ放送局を認識し
（ステップＳ１）、記憶手段２１に、選局中のテレビ放送局の放送サービスエリアを示し
たマップ情報が記憶されているか否かを判断する（ステップＳ２）。前記マップ情報が記
憶されていると判断すれば、次に、車両１が目的地Ｇへ到達するまでの走行ルートＲに従
って走行中であるか否か（すなわち、目的地Ｇが設定されているか否か）を判断する（ス
テップＳ３）。
【００６０】
車両１が走行ルートＲに従って走行していると判断すれば、前記マップ情報に基づいて
、走行ルートＲと選局中のテレビ放送局の放送サービスエリアとを照合し（ステップＳ４
）、車両１が前記放送サービスエリア外へ進入するか否かを判断し（ステップＳ６）、車
両１が前記放送サービスエリア外へ進入すると判断すれば、ステップＳ７へ進む。一方、
車両１が前記放送サービスエリア外へ進入しない（すなわち、目的地Ｇへ到達するまでの
間は、選局中のテレビ放送局から放送されるテレビ放送を視聴し続けることができる）と
判断すれば、そのまま処理動作［１−１］を終了する。
【００６１】
また、ステップＳ３において、車両１が走行ルートＲに従って走行していないと判断す
れば、前記マップ情報に基づいて、車両１の進行方向の延長線上（但し、所定の範囲内で
、例えば、車両１からの距離が５ｋｍの範囲内）と前記放送サービスエリアとを照合し（
ステップＳ５）、車両１が前記放送サービスエリア外へ進入するか否かを判断する（ステ
ップＳ６）。
【００６２】
ステップＳ７では、車両１が前記放送サービスエリア外へ進入するまでに要する時間（
進入時間Ｔ１）を求め、次に、記憶手段２１に記憶されている番組情報に基づいて、現在
視聴中の番組が終了するまでに要する時間（終了時間Ｔ２）を求め（ステップＳ８）、進
入時間Ｔ１が終了時間Ｔ２より短いか否かを判断する（ステップＳ９）。
【００６３】
進入時間Ｔ１が終了時間Ｔ２より短い（すなわち、視聴中の番組がその途中で視聴でき
なくなる）と判断すれば、別の装置で視聴中の番組を録画させるなどの処理を行うために
ステップＳ１１（図３−２）へ進む。一方、進入時間Ｔ１が終了時間Ｔ２より短くない（
すなわち、車両１は前記放送サービスエリアから外れるが、それまでに視聴中の番組は終
了する）と判断すれば、上記した録画処理などを行う必要はないため、そのまま処理動作
［１−１］を終了する。
【００６４】
ステップＳ１１（図３−２）では、移動体通信手段１８の種類（例えば、サービスを提
供する会社）を認識し、記憶手段２１に、当該種類の移動体通信手段の通信サービスエリ
アを示したマップ情報が記憶されているか否かを判断する（ステップＳ１２）。前記マッ
プ情報が記憶されていると判断すれば、次に、車両１が目的地Ｇへ到達するまでの走行ル
ートＲに従って走行中であるか否か（すなわち、目的地Ｇが設定されているか否か）を判
断する（ステップＳ１３）。
【００６５】
車両１が走行ルートＲに従って走行していると判断すれば、前記マップ情報に基づいて
、走行ルートＲと移動体通信手段１８の通信サービスエリアとを照合し（ステップＳ１４
）、車両１が前記通信サービスエリア外へ進入するか否かを判断し（ステップＳ１６）、
車両１が前記通信サービスエリア外へ進入すると判断すれば、ステップＳ１７へ進む。
【００６６】
また、ステップＳ１３において、車両１が走行ルートＲに従って走行していないと判断
すれば、前記マップ情報に基づいて、車両１の進行方向の延長線上（但し、所定の範囲内
で、例えば、車両１からの距離が５ｋｍの範囲内）と前記通信サービスエリアとを照合し
（ステップＳ１５）、車両１が前記通信サービスエリア外へ進入するか否かを判断する（
ステップＳ１６）。
【００６７】
ステップＳ１７では、車両１が前記通信サービスエリア外へ進入するまでに要する時間
（進入時間Ｔ３）を求め、次に、進入時間Ｔ１が進入時間Ｔ３以下であるか否かを判断す
る（ステップＳ１８）。進入時間Ｔ１が進入時間Ｔ３以下である（すなわち、車両１が前
記通信サービスエリアから外れる前に、前記放送サービスエリアから外れる）と判断すれ
ば、次に、進入時間Ｔ１が所定の時間（例えば、３分）以下であるか否かを判断する（ス
テップＳ１９）。
【００６８】
進入時間Ｔ１が３分以下である（すなわち、間もなく視聴中の番組が視聴できなくなる
）と判断すれば、移動体通信手段１８を用いて、サーバー５に対して現在視聴中の番組の
録画を指示し、そして、録画を指示したことを示す録画指示フラグｆを１にする（ステッ
プＳ２０、Ｓ２３）。例えば、録画指示コードや、情報端末装置２を識別するための識別
情報、視聴している放送局情報、視聴している番組の終了時刻情報などをサーバー５へ送
信する。これにより、サーバー５では、録画番組及び録画終了時刻を特定することができ
る。一方、進入時間Ｔ１が３分以下でないと判断すれば、そのまま処理動作［１−１］を
終了する。
【００６９】
後で詳しく説明するが、サーバー５は録画指示コードを受信すると、放送波受信機９を
用いて、録画番組を受信し、受信した録画番組の放送情報を記憶手段８に記憶させるよう
になっている。なお、ここでは情報端末装置２からサーバー５に対して、視聴している番
組の終了時刻情報を送信するようにしているが、別の実施の形態では、情報端末装置２か
ら視聴している番組の終了時刻情報は送信させず、番組の終了時刻についてはサーバー５
で番組情報に基づいて算出させるようにしても良い。
【００７０】
ステップＳ１８において、進入時間Ｔ１は進入時間Ｔ３以下でない（すなわち、視聴中
の番組が視聴できなくなったときには、既に車両１は移動体通信手段１８の通信圏内から
外れている）と判断すれば、次に、進入時間Ｔ３が所定の時間（例えば、３分）以下であ
るか否かを判断する（ステップＳ２１）。
【００７１】
進入時間Ｔ３が３分以下である（すなわち、間もなく移動体通信手段１８の通信圏外と
なる）と判断すれば、移動体通信手段１８を用いて、サーバー５に対して現在視聴中の番
組の録画を指示し、そして、録画を指示したことを示す録画指示フラグｆを１にする（ス
テップＳ２２、Ｓ２３）。一方、進入時間Ｔ３が３分以下でないと判断すれば、そのまま
処理動作［１−１］を終了する。
【００７２】
また、ステップＳ１２において、記憶手段２１に、移動体通信手段１８の通信サービス
エリアを示したマップ情報が記憶されていないと判断した場合や、ステップＳ１６におい
て、車両１が前記通信サービスエリア外へ進入しないと判断した場合は、ステップＳ１９
へ進んで、車両１が前記放送サービスエリア外へ進入するまでに要する時間（進入時間Ｔ
１）が所定の時間（例えば、３分）以下であるか否かを判断する。
【００７３】
また、ステップＳ２（図３−１）において、記憶手段２１に、選局中のテレビ放送局の
放送サービスエリアを示したマップ情報が記憶されていないと判断した場合は、ステップ
Ｓ３１（図３−３）へ進んで、放送波の受信レベルを検出し、受信レベルが所定のレベル
以下であるか否かを判断する（ステップＳ３２）。
【００７４】
受信レベルが前記所定のレベル以下であると判断すれば、移動体通信手段１８を用いて
、サーバー５に対して現在視聴中の番組の録画を指示し、そして、録画指示フラグｆを１
にする（ステップＳ３３、Ｓ３４）。一方、受信レベルが前記所定のレベル以下でないと
判断すれば、そのまま処理動作［１−１］を終了する。
【００７５】
次に、実施の形態（１）に係る情報処理システムを構成するサーバー５におけるマイコ
ン６の行う処理動作［２−１］を図４に示したフローチャートに基づいて説明する。なお
、この処理動作［２−１］は録画指示コードを受信した場合（すなわち、視聴中の番組の
録画が指示された場合）に行われる動作である。まず、録画指示コードに付加して送信さ
れてきた放送局情報に基づいて、録画すべき番組（放送局）を特定し（ステップＳ４１）
、録画指示コードに付加して送信されてきた識別情報に対応づけて、録画番組を示した情
報を記憶手段８に登録する（ステップＳ４２）。
【００７６】
次に、放送波受信機９を用いて、録画すべき番組の放送情報の受信を開始し（ステップ
Ｓ４３）、受信した放送情報を所定の容量毎に区切ってファイルとして記憶手段８に記憶
させる（ステップＳ４４）。その後、番組が終了したか否かを判断し（ステップＳ４５）
、番組が終了したと判断すれば、放送情報の受信を終了し（ステップＳ４６）、一方、番
組が終了していないと判断すれば、ステップＳ４４へ戻る。
【００７７】
次に、実施の形態（１）に係る情報端末装置２におけるマイコン１１の行う処理動作［
１−２］を図５に示したフローチャートに基づいて説明する。なお、この処理動作［１−
２］は所定の期間毎に行われる動作である。なお、別の実施の形態では、情報端末装置２
の電源がオンされたときに行わせるようにしても良い。まず、録画指示フラグｆが１であ
るか否かを判断し（ステップＳ５１）、録画指示フラグｆが１である（すなわち、サーバ
ー５で記憶させている放送情報がある）と判断すれば、次に、移動体通信手段１８が通信
可能であるか否かを判断する（ステップＳ５２）。
【００７８】
移動体通信手段１８が通信可能であると判断すれば、移動体通信手段１８を用いて、サ
ーバー５に対して放送情報の転送を要求する（ステップＳ５３）。例えば、転送要求コー
ドや、情報端末装置２を識別するための識別情報、情報端末装置２で使用可能なデータ形
式を示したデータ形式情報などをサーバー５へ送信する。サーバー５から放送情報が転送
されてくれば、その放送情報を記憶手段２１へ記憶させる（ステップＳ５４）。
【００７９】
次に、転送されてきた放送情報に、番組全ての放送情報の転送が完了したことを示す完
了情報が付加されているか否かを判断し（ステップＳ５５）、前記完了情報が付加されて
いる（すなわち、番組の放送情報の取得を完了した）と判断すれば、録画指示フラグｆを
０にし（ステップＳ５６）、その後、放送情報を再生する（ステップＳ５７）。一方、前
記完了情報が付加されていないと判断すれば、録画指示フラグｆを０にすることはできな
いので、ステップＳ５６を飛ばして、そのままステップＳ５７へ進む。
【００８０】
また、ステップＳ５１において、録画指示フラグｆが１でないと判断すれば、ステップ
Ｓ５２以降の処理動作を行う必要がないので、そのまま処理動作［１−２］を終了する。
また、ステップＳ５２において、移動体通信手段１８が通信可能でないと判断すれば、サ
ーバー５から放送情報を取り込むことはできないので、そのまま処理動作［１−２］を終
了する。
【００８１】
次に、実施の形態（１）に係る情報処理システムを構成するサーバー５におけるマイコ
ン６の行う処理動作［２−２］を図６に示したフローチャートに基づいて説明する。なお
、この処理動作［２−２］は転送要求コードを受信した場合（すなわち、放送情報の転送
が要求された場合）に行われる動作である。まず、転送要求コードに付加して送信されて
きた識別情報に基づいて、転送対象となっている放送情報の転送要求元が、録画指示元と
同じであるか否かを判断する（ステップＳ６１）。
【００８２】
放送情報の転送要求元が、録画指示元と同じであると判断すれば、次に、転送要求コー
ドに付加して送信されてきたデータ形式情報に基づいて、転送要求元で使用可能なデータ
形式に放送情報を変換する（ステップＳ６２）。次に、番組が終了しており、番組全ての
放送情報の記憶が完了しているか否か（すなわち、番組全ての放送情報の転送が可能であ
るか否か）を判断し（ステップＳ６３）、記憶が完了していると判断すれば、記憶手段８
から放送情報を読み出し、完了情報を付加して放送情報を転送要求元へ転送する（ステッ
プＳ６４）。一方、記憶が完了していないと判断すれば、完了情報を付加せずに、放送情
報を転送要求元へ転送する（ステップＳ６５）。
【００８３】
また、ステップＳ６１において、放送情報の転送要求元が、録画指示元と同じでないと
判断すれば、次に、録画指示元に対して、転送対象となっている放送情報の転送が完了し
ているか否かを判断し（ステップＳ６６）、録画指示元に対して、転送対象となっている
放送情報の転送が完了していると判断すれば、転送の必要がないと判定し、そのまま処理
動作［２−１］を終了する。一方、転送が完了していないと判断すれば、ステップＳ６２
へ進む。
【００８４】
なお、ここでは、録画指示元に対して、転送対象となっている放送情報の転送が完了し
ている場合、転送の必要がないと判定するようにしているが、別の実施の形態では、録画
指示元での放送情報の再生状況情報をサーバー５へアップロードさせるようにし、録画指
示元で放送情報の再生が完了している場合、転送の必要がないと判定するようにしても良
い。
【００８５】
次に、実施の形態（１）に係る情報端末装置２におけるマイコン１１の行う処理動作［
１−３］を図７に示したフローチャートに基づいて説明する。なお、この処理動作［１−
３］は所定の期間毎に行われる動作である。まず、放送波受信機２３から得られる情報に
基づいて、選局中のテレビ放送局を認識し（ステップＳ７１）、記憶手段２１に、選局中
のテレビ放送局の放送サービスエリアを示したマップ情報が記憶されているか否かを判断
する（ステップＳ７２）。
【００８６】
前記マップ情報が記憶されていると判断すれば、次に、放送波の受信レベルを検出し（
ステップＳ７３）、受信レベルが所定のレベルＬ１以上であるか否かを判断する（ステッ
プＳ７４）。受信レベルが所定のレベルＬ１以上である（すなわち、受信状態は良好であ
る）と判断すれば、前記マップ情報に基づいて、車両１の現在位置情報と前記放送サービ
スエリアとを照合し（ステップＳ７５）、受信状況に差異があるか否かを判断する（ステ
ップＳ７６）。差異があると判断すれば、現在位置が前記放送サービスエリア内となるよ
うに前記マップ情報を更新する（ステップＳ７７）。一方、差異がないと判断すれば、前
記マップ情報を更新する必要がないので、そのまま処理動作［１−３］を終了する。
【００８７】
また、ステップＳ７４において、受信レベルが所定のレベルＬ１以上でないと判断すれ
ば、次に、受信レベルが所定のレベルＬ２（＜Ｌ１）以下であるか否かを判断し（ステッ
プＳ７８）、受信レベルが所定のレベルＬ２以下である（すなわち、受信状態は不良であ
る）と判断すれば、前記マップ情報に基づいて、車両１の現在位置情報と前記放送サービ
スエリアとを照合し（ステップＳ７９）、受信状況に差異があるか否かを判断する（ステ
ップＳ８０）。差異があると判断すれば、現在位置が前記放送サービスエリアから外れる
ように前記マップ情報を更新する（ステップＳ８１）。一方、差異がないと判断すれば、
前記マップ情報を更新する必要がないので、そのまま処理動作［１−３］を終了する。ま
た、ステップＳ７８において、受信レベルが所定のレベルＬ２以下でないと判断した場合
にも、前記マップ情報を更新する必要はないので、そのまま処理動作［１−３］を終了す
る。
【００８８】
上記実施の形態（１）に係る情報処理システムによれば、車両１の先の進路（走行する
ことが予想される場所）の電波状態に基づいて、前記放送情報をサーバー５の記憶手段８
で記憶させる必要があるか否かが判断され、前記放送情報をサーバー５の記憶手段８で記
憶させる必要があると判断された場合、静止状態で使用されるサーバー５に対して前記放
送情報の受信が指示され、前記放送情報が記憶手段８で記憶される。
【００８９】
すなわち、視聴中のテレビ放送を受信できない領域に車両１が進入することが予想され
る場合、そのテレビ放送情報を記憶手段８に記憶させておくことができる。従って、記憶
手段８に記憶されているテレビ放送情報を利用することによって、テレビ放送の続きを視
聴することができる。
【００９０】
また、情報端末装置２では携帯電話などの移動体通信手段１８を用いて、記憶手段８に
記憶されているテレビ放送情報の読み出しが可能であり、かつ車両１が移動体通信手段１
８の通信サービスエリア内を走行中であれば、テレビ放送を受信できない領域を走行中で
あったとしても、テレビ放送の続きを視聴することができる。なお、ここではテレビ放送
の場合について説明しているが、ラジオ放送の場合にも同様に採用可能である。
【００９１】
図８は、実施の形態（２）に係る情報処理システムの要部を概略的に示したブロック図
である。図中３１は車両を示しており、車両３１にはナビゲーション機能と楽曲データを
再生する楽曲再生機能とを有した情報端末装置３２が装備されている。情報端末装置３２
には、携帯電話などの移動体通信手段（図示せず）が接続されており、この移動体通信手
段を用いて、基地局３３を介して、インターネットなどのネットワーク３４と繋がること
ができ、ネットワーク３４に接続されているサーバー３５などとの間でデータのやり取り
を行うことができるようになっている。サーバー３５（本発明の再生リスト情報管理装置
に相当）は、ＣＰＵ（図示せず）などを有したマイコン３６と、ネットワーク３４と接続
するための通信手段３７と、記憶手段３８とを含んで構成されている。
【００９２】
図９は、実施の形態（２）に係る情報端末装置３２の要部を概略的に示したブロック図
である。情報端末装置３２は、ＣＰＵ（図示せず）などを有したマイコン４１と、地図デ
ータや施設データなどが記憶されたＤＶＤ−ＲＯＭ４２から地図データなどを読み出すた
めのＤＶＤドライブ４３と、ボタンスイッチ４４ａを有したリモコン４４と、ディスプレ
イ４５とを含んで構成されている。また、ＤＶＤドライブ４３はＣＤの再生も可能となっ
ている。
【００９３】
マイコン４１に接続されているＧＰＳ受信機４６は、アンテナ４７を介して衛星からの
ＧＰＳ信号を受信するものであり、マイコン４１はＧＰＳ信号に基づいて自車位置を割り
出すことができるようになっている。また、マイコン４１には移動体通信手段４８が接続
されており、この移動体通信手段４８を使って、サーバー３５（図８参照）などとの間で
データのやり取りを行うことができるようになっている。
【００９４】
また、マイコン４１には自車の速度に関するデータを検出するための車速センサ４９と
、自車の水平面内における方位に関するデータを検出するためのジャイロセンサ５０とが
接続されている。また、マイコン４１には各種データを記憶しておくための記憶手段５１
が接続され、サーバー３５などから送信されてきたデータや、リモコン４４などを使って
入力された情報などが記憶されるようになっている。例えば、記憶手段５１には、図１３
に示したような、楽曲データや、楽曲情報に関するデータなどが記憶されるようになって
おり、マイコン４１は楽曲情報に関するデータを使って、再生リストを作成し、作成した
再生リストに従って楽曲データを再生することができるようになっている。また、マイコ
ン４１には音声出力手段５２を介してスピーカ５３が接続されており、楽曲データを再生
することによって、音声をスピーカ５３から出力させることができるようになっている。
【００９５】
次に、実施の形態（２）に係る情報端末装置３２におけるマイコン４１の行う処理動作
［３−１］を図１０に示したフローチャートに基づいて説明する。なお、この処理動作［
３−１］はリモコン４４などが操作されることによって、使用者により再生リストの作成
が指示された場合に行われる動作である。
【００９６】
まず、アーティスト名や楽曲名などを使用者が選択し得る選択画面などから構成される
再生リスト作成画面をディスプレイ４５へ表示し（ステップＳ９１）、次に、この再生リ
スト作成画面を通じて行われた、使用者による楽曲の選択が完了したか否かを判断する（
ステップＳ９２）。
【００９７】
使用者による楽曲の選択が完了したと判断すれば、選択内容に基づいて、再生リストを
作成し（ステップＳ９３）、作成した再生リストに従って楽曲データを再生することによ
って、スピーカ５３から音声を出力させる（ステップＳ９４）。次に、再生リストに含ま
れている全ての楽曲の再生が完了したか否かを判断する（ステップＳ９５）。
【００９８】
再生リストに含まれている全ての楽曲の再生が完了したと判断すれば、そのまま処理動
作［３−１］を終了し、一方、再生が完了していないと判断すれば、次に、リモコン４４
などが操作されることによって、使用者により再生リストを示した再生リスト情報のサー
バー３５への送信が指示されたか否かを判断する（ステップＳ９６）。
【００９９】
再生リスト情報の送信が指示されたと判断すれば、次に、再生リストに従って再生され
ている楽曲再生状況（何曲目まで再生が終了しているかといったことなど）を認識し（ス
テップＳ９７）、移動体通信手段４８を用いて、楽曲再生状況に関する再生状況情報を付
加して再生リスト情報をサーバー３５へ送信する（ステップＳ９８）。サーバー３５は再
生リスト情報を受信すると、再生状況情報に対応づけて再生リスト情報を記憶手段３８へ
記憶させるようになっている。  一方、再生リスト情報の送信は指示されていないと判断
すれば、ステップＳ９４へ戻る。
【０１００】
次に、実施の形態（２）に係る情報端末装置３２におけるマイコン４１の行う処理動作
［３−２］を図１１に示したフローチャートに基づいて説明する。なお、この処理動作［
３−２］はリモコン４４などが操作されることによって、使用者により再生リスト情報の
転送が要求された場合に行われる動作である。
【０１０１】
まず、移動体通信手段４８を用いて、サーバー３５に対して再生リスト情報の転送を要
求する（ステップＳ１０１）。例えば、転送要求コードや、情報端末装置３２で使用可能
なデータ形式を示したデータ形式情報などをサーバー３５へ送信する。サーバー３５から
再生リスト情報が転送されてくれば、その再生リスト情報を記憶手段５１へ記憶させる（
ステップＳ１０２）。
【０１０２】
次に、再生リストの最初の楽曲を選択し（ステップＳ１０３）、対応する楽曲データが
記憶手段５１に記憶されているか否かを判断する（ステップＳ１０４）。対応する楽曲デ
ータが記憶手段５１に記憶されていると判断すれば、当該楽曲データを読み出して、読み
出した楽曲データを再生する（ステップＳ１０５）。
【０１０３】
次に、楽曲データ（１曲分）の再生が終了したか否かを判断し（ステップＳ１０６）、
再生が終了したと判断すれば、再生リストに従って次に再生すべき楽曲が残っているか否
かを判断し（ステップＳ１０７）、残っていると判断すれば、ステップＳ１０４へ戻り、
次の楽曲に対応する楽曲データが記憶手段５１に記憶されているか否かを判断する。一方
、次に再生すべき楽曲はない（すなわち、再生リストに含まれている全ての楽曲の再生が
完了した）と判断すれば、処理動作［３−２］を終了する。また、ステップＳ１０４にお
いて、対応する楽曲データが記憶手段５１に記憶されていないと判断すれば、ステップＳ
１０５、Ｓ１０６を飛ばして、ステップＳ１０７へ進む。
【０１０４】
次に、実施の形態（２）に係る情報処理システムを構成するサーバー３５におけるマイ
コン３６の行う処理動作［４−１］を図１２に示したフローチャートに基づいて説明する
。なお、この処理動作［４−１］は再生リスト情報の転送を要求する転送要求コードを受
信した場合に行われる動作である。
【０１０５】
まず、転送対象となっている再生リスト情報に対応づけて、記憶手段３８に楽曲再生状
況に関する再生状況情報が記憶されているか否かを判断し（ステップＳ１１１）、再生状
況情報が記憶されていると判断すれば、再生状況情報に基づいて、再生リストを修正する
（ステップＳ１１２）。例えば、全１０曲からなる再生リストであっても、先頭の２曲が
再生完了していれば、３〜１０曲目までの計８曲からなる再生リストに修正する。これに
より、情報端末装置３２では再生が終了していない楽曲から再生することができる。
【０１０６】
なお、ここではサーバー３５で再生状況情報に基づいて再生リストを修正して、情報端
末装置３２で再生が終了していない楽曲からの再生を実現するようにしているが、別の実
施の形態では、サーバー３５で再生リストを修正させるのではなく、再生リスト情報に再
生状況情報を付加して情報端末装置３２へ送信して、情報端末装置３２で再生リストの修
正をさせるようにしても良い。
【０１０７】
次に、転送要求コードに付加して送信されてきたデータ形式情報に基づいて、転送要求
元で使用可能なデータ形式に再生リスト情報を変換し（ステップＳ１１３）、変換した再
生リスト情報を通信手段３７を用いて転送要求元へ送信する（ステップＳ１１４）。一方
、ステップＳ１１１において、記憶手段３８に再生状況情報が記憶されていないと判断す
れば、ステップＳ１１２を飛ばして、そのままステップＳ１１３へ進む。
【０１０８】
なお、ここでは再生リスト情報をサーバー３５へ送信する情報端末装置も、再生リスト
情報を受ける情報端末装置も、移動体に搭載される情報端末装置の場合について説明して
いるが、これら情報端末装置は移動体に搭載されるものに限定されない。自宅などの静止
状態で使用される情報端末装置でも通信機能を有していれば、使用可能であることは言う
までもない。
【０１０９】
上記実施の形態（２）に係る情報処理システムによれば、情報端末装置３２で作成され
た再生リストを示した前記再生リスト情報が、前記所定の転送先へ転送される。例えば、
車両に搭載されたオーディオ装置で作成された再生リストを示した再生リスト情報を、自
宅のオーディオ装置へ転送したり、その逆に、自宅のオーディオ装置で作成された再生リ
ストを示した再生リスト情報を、車両に搭載されたオーディオ装置へ転送することができ
る。これにより、例えば、車両から降りた後にも、車両で利用していた再生リストを利用
することができたり、自宅で利用していた再生リストを、車両でも利用することができる
。
【０１１０】
なお、上記実施の形態（２）に係る情報処理システムでは、再生リスト情報だけを転送
させるようにしているが、別の実施の形態では、再生リスト情報だけでなく、楽曲データ
についても合わせて転送させるようにしても良い。これにより、楽曲飛ばしを無くすこと
ができ、どの環境においても、同様の楽曲再生を実現することができる。              
【図面の簡単な説明】
【０１１１】
【図１】本発明の実施の形態（１）に係る情報処理システムの要部を概略的に示したブロック図である。
【図２】実施の形態（１）に係る情報端末装置の要部を概略的に示したブロック図である。
【図３−１】実施の形態（１）に係る情報端末装置におけるマイコンの行う処理動作を示したフローチャートである。
【図３−２】実施の形態（１）に係る情報端末装置におけるマイコンの行う処理動作を示したフローチャートである。
【図３−３】実施の形態（１）に係る情報端末装置におけるマイコンの行う処理動作を示したフローチャートである。
【図４】実施の形態（１）に係る情報処理システムを構成するサーバーにおけるマイコンの行う処理動作を示したフローチャートである。
【図５】実施の形態（１）に係る情報端末装置におけるマイコンの行う処理動作を示したフローチャートである。
【図６】実施の形態（１）に係る情報処理システムを構成するサーバーにおけるマイコンの行う処理動作を示したフローチャートである。
【図７】実施の形態（１）に係る情報端末装置におけるマイコンの行う処理動作を示したフローチャートである。
【図８】実施の形態（２）に係る情報処理システムの要部を概略的に示したブロック図である。
【図９】実施の形態（２）に係る情報端末装置の要部を概略的に示したブロック図である。
【図１０】実施の形態（２）に係る情報端末装置におけるマイコンの行う処理動作を示したフローチャートである。
【図１１】実施の形態（２）に係る情報端末装置におけるマイコンの行う処理動作を示したフローチャートである。
【図１２】実施の形態（２）に係る情報処理システムを構成するサーバーにおけるマイコンの行う処理動作を示したフローチャートである。
【図１３】ＨＤＤに記憶されているデータの一部を示した図である。
【符号の説明】
【０１１２】
２、３２  情報端末装置
５、３５  サーバー
６、１１、３６、４１  マイコン
７、３７  通信手段
８、２１、３８、５１  記憶手段
９、２３  放送波受信機
１８  移動体通信手段
【図１】
2006186473.tif 000003
【図２】
2006186473.tif 000004
【図３−１】
2006186473.tif 000005
【図３−２】
2006186473.tif 000006
【図３−３】
2006186473.tif 000007
【図４】
2006186473.tif 000008
【図５】
2006186473.tif 000009
【図６】
2006186473.tif 000010
【図７】
2006186473.tif 000011
【図８】
2006186473.tif 000012
【図９】
2006186473.tif 000013
【図１０】
2006186473.tif 000014
【図１１】
2006186473.tif 000015
【図１２】
2006186473.tif 000016
【図１３】
2006186473.tif 000017